(57)【要約】【課題】鍵盤楽器において、鍵を覆うスライド蓋の収納構造を改良して、楽器本体の奥行きを小さくするとともに、鍵盤後部のスペースを有効利用できるようにする。また、スライド蓋の閉状態において、スライド蓋及び天板からなる楽器本体の天面をフラットなデザインとする。【解決手段】側板Ｄの内側に第１ガイド１、第２ガイド２、第３ガイド３からなるガイド部１０を設ける。スライド蓋２０を前ユニット４と後ユニット５で構成する。軸部４１，４２，５１，５２をガイド部１０で案内する。閉状態で、前ユニット４、後ユニット５及び天板４０の高さを同一にする。開状態で、前ユニット４と後ユニット５を重ねて天板４０の下部に収納する。【選択図】図１
2008164845.tif 000002
【特許請求の範囲】
【請求項１】
楽器本体と、
前記楽器本体の後方上部を覆う天板と、
前記楽器本体の前部に配設され、複数の鍵からなる鍵盤部と、
開状態で前記鍵盤部を演奏可能な状態に露出させ、閉状態で前記鍵盤部を覆うスライド式のスライド蓋と、
前記楽器本体に備えられるとともに該楽器本体の前方から後方に向けて延設され、前記スライド蓋の前後方向への移動を案内する複数経路のガイド部を左右対で有する鍵盤楽器の蓋装置であって、
前記スライド蓋が前記ガイド部に沿ってスライドすることによって前記閉状態から前記開状態へ遷移し、開状態におけるスライド蓋の上下方向位置が、閉状態における位置よりも下方に位置することを特徴とする鍵盤楽器の蓋装置。
【請求項２】
請求項１に記載の鍵盤楽器の蓋装置であって、
さらに、前記スライド蓋と前記天板は、該スライド蓋の閉状態でその上面が略同一平面上にあり、
前記スライド蓋が、前記ガイド部に沿ってスライドすることによって開状態へ遷移し、該開状態で前記天板の下部に収納されることを特徴とする鍵盤楽器の蓋装置。
【請求項３】
請求項１に記載の鍵盤楽器の蓋装置であって、
さらに、前記スライド蓋は複数に分割されたユニットで構成され、
前記複数経路のガイド部のうち少なくとも１つは、前記楽器本体の前方の前端部では１経路であり、後端部に達するまでの中間地点で複数にその経路が分岐していることを特徴とする鍵盤楽器の蓋装置。
【請求項４】
請求項１に記載の鍵盤楽器の蓋装置であって、
さらに、前記スライド蓋は複数に分割されたユニットで構成され、閉状態で複数のユニットが連結手段で連結されており、スライド蓋の開動作開始時は複数のユニットが一体に連動して可動するように構成され、
開状態に遷移するまでの過程において、前記ユニットの連動が解除された後、スライド蓋の開状態に至ることを特徴とする鍵盤楽器の蓋装置。
【請求項５】
楽器本体と、
前記楽器本体の後方上部を覆う天板と、
前記楽器本体の前部に配設され、複数の鍵からなる鍵盤部と、
開状態で前記鍵盤部を演奏可能な状態に露出させ、閉状態で前記鍵盤部を覆うスライド式のスライド蓋と、
前記楽器本体に備えられるとともに該楽器本体の前方から後方に向けて延設され、前記スライド蓋の前後方向への移動を案内する複数経路のガイド部を左右対で有する鍵盤楽器の蓋装置であって、
前記スライド蓋が前記ガイド部に沿ってスライドすることによって前記閉状態から前記開状態へ遷移し、遷移時には水平方向及び下方に移動することを特徴とする鍵盤楽器の蓋装置。
【発明の詳細な説明】
【技術分野】
【０００１】
本発明は、鍵盤の上部を開閉自在に覆うスライド式の蓋を備えた鍵盤楽器の蓋装置に関する。
【背景技術】
【０００２】
従来、鍵盤楽器の蓋装置として、例えば実公平７−４９５１１号公報（特許文献１）、実開昭５４−１３３８３４号公報（特許文献２）、実公昭４５−３３４９４号公報（特許文献３）に開示されたものがある。特許文献１のものは、１枚のスライド蓋が、蓋開時に天板下部に収納されるものである。特許文献２のものは、屈折自在に連結したスライド蓋が、蓋開時に天板下部及び鍵盤後部に収納されるものである。特許文献３のものは、前後に２分割されたスライド蓋が、蓋開時に上下に重なって天板下部に収納されるものである。なお、特許文献２及び３のものは、特許文献１のものに比べて、スライド蓋の奥行きに対して、天板の奥行きを短くできる。
【特許文献１】実公平７−４９５１１号公報
【特許文献２】実開昭５４−１３３８３４号公報
【特許文献３】実公昭４５−３３４９４号公報
【発明の開示】
【発明が解決しようとする課題】
【０００３】
特許文献１のものは、スライド蓋が１枚（一体）のため、スライド蓋の奥行き分だけ天板の奥行きが必要となり楽器全体の奥行きを小さくできないという問題がある。これに対して特許文献２あるいは特許文献３のものは、スライド蓋が分割されているので、天板の奥行きを短くでき、楽器全体の奥行きも小さくできる。
【０００４】
しかしながら、特許文献２のものは、鍵盤後部にスライド蓋の一部が天板の内側で下方に回り込むため、鍵盤後部にその回り込むためのスペースが必要となり、鍵盤後部のスペースを最大限に利用できないという問題がある。これに対して、特許文献３の鍵盤蓋は、前蓋及び後蓋の各後部に連結金具を備え、鍵盤蓋を全開状態にした時に、連結金具同士が係合、前蓋の閉時に後蓋を連結させる構造となっている。したがって、鍵盤蓋を開く途中で前蓋を閉状態に引き戻した場合には後蓋は連動せず、鍵盤蓋を適切に閉状態に戻せないとい問題点があった。
【０００５】
ところで、特許文献２及のものは鍵盤が上鍵盤と下鍵盤の２段構成の楽器であるので当然ではあるが、前後断面形状（側板の形状）が台形となっている。また、特許文献３のものは鍵盤構造は明らかではないが同様に台形となっている。一方、特許文献１のものは１段の鍵盤であるが後方の天板が鍵盤面よりもかなり上下に嵩張った構造である。しかしながら、鍵盤楽器の蓋閉時に楽器天面がフラットになっていると、外観もスマートになる。
【０００６】
これに対して、各特許文献の構造では、蓋閉時に楽器天面をフラットにすることは困難である。特許文献１あるいは特許文献２のものはスライド蓋をそのまま天板の下に挿入する構造でり、蓋閉時にも天板がスライド蓋より上に高くならざるを得ない。また、特許文献３のものでは、蓋開時に手前側の蓋が先ず可動し、しばらくして後ろ側の蓋と連動してそのまま天板の下に可動する構造であり、この場合も、天板がスライド蓋より上に高くならざるを得ず、また、蓋閉時に２枚の蓋をフラットにするのは困難である。
【０００７】
本発明は、鍵盤楽器においてスライド蓋を開閉するのに適した構造を提供し、鍵盤後部のスペースを最大限利用できるようにするとともに、楽器本体の天面を略同一平面にした鍵盤楽器を提供することを課題とする。
【課題を解決するための手段】
【０００８】
請求項１の鍵盤楽器の蓋装置は、楽器本体の前方から後方に向けて延設した複数経路の左右対のガイド部に沿って、スライド蓋をスライドして閉状態から開状態に遷移させ、開状態におけるスライド蓋の位置を閉状態における位置より下方となるようにすることで、簡単な構造で、開状態におけるスライド蓋を例えば天板の下に収納できるとともに、閉状態でのスライド蓋と天板との天面を同一高さにできるようにした。
【０００９】
請求項２の鍵盤楽器の蓋装置は、請求項１において、さらに、スライド蓋と天板を、スライド蓋の閉状態でその上面（天面）が略同一平面上とし、スライド蓋がガイド部に沿ってスライドすることによって開状態で天板の下部に収納するようにした。
【００１０】
請求項３の鍵盤楽器の蓋装置は、請求項１において、さらに、スライド蓋を複数に分割されたユニットで構成し、複数経路のガイド部のうち少なくとも１つは、楽器本体の前方の前端部では１経路とし、後端部に達するまでの中間地点で経路を複数に分岐するようにした。
【００１１】
請求項４の鍵盤楽器の蓋装置は、請求項１において、さらに、スライド蓋を複数に分割されたユニットで構成し、閉状態で複数のユニットを連結手段で連結しておき、開動作開始時に複数のユニットを一体に連動して可動とし、開状態に遷移するまでの過程において、ユニットの連動を解除した後、スライド蓋を開状態の位置に至るようにした。
【００１２】
請求項５の鍵盤楽器の蓋装置は、請求項１と同様に、楽器本体の前方から後方に向けて延設した複数経路の左右対のガイド部に沿って、スライド蓋をスライドして閉状態から開状態に遷移させ、この遷移時に水平及び下方に移動させてスライド蓋を例えば天板の下部に容易に収納できる構造とした。
【００１３】
なお、各請求項において、ガイド部を溝で構成するとともに、スライド蓋の前部と後部に、左右に突出した一対の軸部をそれぞれ備え、軸部を溝に摺動自在に嵌合してスライド蓋をスライドさせる構成としてもよい。この場合、スライド蓋が閉状態のときに軸部が天板と略同高さの位置、スライド蓋が開状態のときに軸部が天板の下部の位置となるように、ガイド部の溝を構成するとよい。
【００１４】
また、ガイド部の溝は、閉状態で軸部が天板と略同高さとなる位置から楽器本体の後方にかけて下方に傾斜した傾斜部を、該溝の経路に備えるものでもよい。これにより、開状態に遷移するときにスライド蓋が水平及び下方にスムースに移動し、開状態におけるスライド蓋の位置が閉状態における位置より下方となる。また、閉状態でスライド蓋が天板の下部に収納される。
【００１５】
また、次のような構成でもよい。スライド蓋は前側の前ユニットと後ろ側の後ユニットとの、分割された２つのユニットを有し、スライド蓋の閉状態のとき、前ユニットの後端部と後ユニットの前端部とを連結手段で連結する。連結手段は、相対的に前ユニットの後端部が下に、後ユニットの前端部が上に互いに離脱可能な構成とする。ガイド部は、前ユニットの前端部を保持する第１ガイドと、前ユニットの後端部と後ユニットの前端部とをガイドする第２ガイドと、後ユニットの後端部をガイドする第３ガイドとを有する。第２ガイドは、開状態に遷移するまでの過程（例えば後ユニットの開状態の位置で）において、後ユニットの前端部の上下位置を保持する経路と、前ユニットの後端部を下方に案内する経路との２つの経路に分岐した構成とする。これにより、前ユニットと後ユニットを簡単な構成で容易にスライドさせることができるとともに、２つの経路が分岐する位置で前ユニットと後ユニットとの連結が解除され、その後、前ユニットを後ユニットの下部に案内できる。
【００１６】
また、スライド蓋の開状態のとき、該スライド蓋は鍵盤の後端部よりも上に収納されるようにしてもよい。これにより、鍵盤の後方のスペースを他の機能に有効利用できる。
【発明の効果】
【００１７】
請求項１の鍵盤楽器の蓋装置によれば、簡単な構造で、開状態におけるスライド蓋を例えば天板の下に収納でき、楽器全体の奥行き、鍵盤後部のスペースを最大限に利用して内装部品を配置することが可能となる。
【００１８】
請求項２の鍵盤楽器の蓋装置によれば、請求項１の効果に加えて、スライド蓋の閉状態で、楽器本体の天面がフラットなデザインとすることができる。
【００１９】
請求項３の鍵盤楽器の蓋装置によれば、請求項１の効果に加えて、ガイド部の１経路から複数に分岐した経路により、分割された複数のユニットを天板の下部に重なった状態で収納でき、楽器全体の奥行きを増やさずにコンパクトにすることができる。
【００２０】
請求項４の鍵盤楽器の蓋装置によれば、請求項１の効果に加えて、複数のユニットを一体に連動して可動させて、連動を解除した後、分割された複数のユニットを天板の下部に重なった状態で収納でき、楽器全体の奥行きを増やさずにコンパクトにすることができる。
【００２１】
請求項５の鍵盤楽器の蓋装置によれば、請求項１と同様に、簡単な構造で、開状態におけるスライド蓋を例えば天板の下に収納でき、楽器全体の奥行き、鍵盤後部のスペースを最大限に利用して内装部品を配置することが可能となる。
【発明を実施するための最良の形態】
【００２２】
以下、図面を参照して本発明の実施の形態について説明する。図１は実施の形態の蓋装置を適用した電子鍵盤楽器の要部を示す側断面図、図２は同鍵盤楽器におけるガイド部を示す図、図３は同鍵盤楽器の一部破断斜視図であり、図１及び図３(A) はスライド蓋の閉状態を示し、図３(B) はスライド蓋の開状態を示している。なお、図１において図面の左側が演奏者側であり、以下、この鍵盤装置において「上下左右」を指す場合、演奏時の演奏者側（鍵盤側）から見た正立状態の「上下左右」とし、「前後方向（あるいは手前と奥）」を指す場合、演奏者側を「前、手前」、背面側を「後、奥」とする。
【００２３】
この電子鍵盤楽器の楽器本体は、棚板Ａと、この棚板Ａの前部に取り付けられた口棒Ｂと、棚板Ａの後部に取り付けられた後板Ｃとで構成され、棚板Ａ上で口棒Ｂに接近して、複数の鍵３０ａを有する鍵盤装置（鍵盤部）３０が取り付けられている。また、後板Ｃの上端に、楽器本体の後方上部を覆う天板４０が取り付けられている。棚板Ａ、口棒Ｂ、後板Ｃ及び天板４０の左右両端に密着して側板Ｄが取り付けられ、鍵盤装置の最高音、最低音の鍵と所定の間隔を置いて拍子木Ｅが側板Ｄの内側に取り付けられている。さらに、鍵盤装置３０の後方上部には天板４０から離間してパネル部５０が取り付けられている。
【００２４】
そして、鍵盤装置３０の上部には、後述詳細に説明するように、側板Ｄのガイド部１０に保持されたスライド蓋２０が配設されている。なお、図では側板Ｄと拍子木Ｅは楽器本体の左側についてのみ図示しているが、側板と拍子木は右側にも取り付けられていることはいうまでもない。また、以下の説明では、左側の側板Ｄとそのガイド部１０についてその構造を説明するが、右側の側板及びガイド部についても左側と左右対称（鏡映対象）に同様な構造になっている。
【００２５】
図２に示すように、ガイド部１０は側板Ｄに形成された溝によって構成されており、このガイド部１０は第１ガイド１、第２ガイド２及び第３ガイド３で構成されている。
【００２６】
第１ガイド１は、口棒Ｂの上方延長位置から鍵盤装置３０の前端上方延長位置まで水平に溝を形成した第１溝１１と、この第１溝１１から側板Ｄの前後方向中間より僅かに後方となる位置まで下方に直線状に傾斜して溝を形成した第２溝１２とで構成されている。
【００２７】
第２ガイド２は、第１ガイド１の第２溝１２の中間位置で第１溝１１と略同長で水平に溝を形成した第１溝２１と、この第１溝２１から第１ガイド１の第２溝１２の後端より僅か後方となる位置まで下方に直線状に傾斜して溝を形成した第２溝２２と、この第２溝２２の下面で該第２溝２２の後端よりわずかに前方となる位置から急傾斜で下方に傾斜して溝を形成した第３溝２３と、この第３溝２３から側板Ｄの後端までの中間より僅かに後方となる位置まで水平に溝を形成した第４溝２４とで構成されている。
【００２８】
第３ガイド３は、天板４０の前端部位置で短く水平に溝を形成した第１溝３１と、この第１溝３１から急傾斜で下方に傾斜して溝を形成した第２溝３２と、この第２溝３２から側板Ｄの後端近傍まで水平に溝を形成した第３溝３３とで構成されている。なお、側板Ｄには、第３溝３３の後端位置に逆台形状のストッパ７が取り付けられている。
【００２９】
このように、第１ガイド１、第２ガイド２、第３ガイド３は、楽器本体の前方から後方にかけて下方に傾斜した傾斜部として、第２溝１２，２２，３２を有している。
【００３０】
スライド蓋２０は、図１及び図３(A) に示すように閉状態で口棒Ｂの上方延長位置から天板４０の前端部までの奥行きを有し、その前後方向の略中央部分で２分割された前ユニット４と後ユニット５の２つのユニットで構成されている。図４はスライド蓋２０及び天板４０の一部破断図であり、前ユニット４の後端面４ａと後ユニット５の前端面５ａ、後ユニット５の後端面５ｂと天板４０の前端面４０ａは、それぞれ前方から後方に向けて下方に傾斜する傾斜面とされている。これにより、閉状態において前ユニット４と後ユニット５はその後端面４ａと前端面５ａとが対面し、後ユニット５と天板４０はその後端面５ｂと前端面４０ａとが対面する。また、これらの傾斜面により、前ユニット４の後端部分が後ユニット５の下側に容易に移動でき、後ユニット５の後端部分が天板４０の下側に容易に移動できる構造となっている。
【００３１】
また、前ユニット４の後部両側には連結金具６が取り付けられている。連結金具６は、前ユニット４の後端部から上方に向けて斜め前方に切り欠かれたフック６１を有する。また、前ユニット４の前部両端及び後部両端には、金属製の軸部４１，４２が、後ユニット５の前部両端及び後部両端には金属製の軸部５１，５２が、それぞれ一部埋設して取り付けられている。
【００３２】
以上の構成により、前ユニット４の前部の軸部４１は第１ガイド１内に填め込まれ、前ユニット４の後部の軸部４２は第２ガイド２内に填め込まれている。また、後ユニット５の前部の軸部５１は第２ガイド２内に填め込まれ、後ユニット５の後部の軸部５２は第３ガイド３内に填め込まれている。これにより、前ユニット４と後ユニット５は左右両側の側板Ｄの間に保持されている。
【００３３】
そして、図１、図３(A) 及び図４に示すように、閉状態のとき、前ユニット４と後ユニット５は一体になって鍵盤装置３０及びパネル部５０を覆っている。このとき、連結金具６のフック６１に後ユニット５の前部の軸部５１が係合され、ガイド部１０により前ユニット４と後ユニット５は天板４０と同高さで水平に保持されている。これにより、前ユニット４の天面４Ａ、後ユニット５の天面５Ａ及び天板４０の天面４０Ａからなる楽器本体の天面がフラットになり、すっきりとしたデザインとなっている。
【００３４】
図１及び図５〜図１１はスライド蓋２０を閉状態から開状態に遷移する過程を示す図であり、同図では適宜符号を省略する。なお、この図１及び図５〜図１１では左側のガイド部１０と右側の軸部４１，４２，５１，５２が図示されているが、以下の説明は左右同じ側のガイド部と軸部の関係を説明していることはいうまでもない。
【００３５】
先ず、図１の状態から前ユニット４の前端部を後方に押すと、軸部４２と軸部５１は共に第２ガイド２に案内されて略水平にしか移動しないので、前ユニット４の後端面４ａ（図４）が後ユニット５の前端面５ａを押す。このため、後ユニット５の軸部５２が第３ガイド３の第１溝３１から外れて第２溝３２に案内されて下方に移動し、図５の状態になる。前ユニット４をさらに押すと、図６に示すように、軸部４１は第１ガイド１の第２溝１２に、軸部４２と軸部５１は第２ガイド２の第２溝２２に、軸部５２は第３ガイド３の第３溝３３にそれぞれ案内され、前ユニット４と後ユニット５が一体に連動して略水平に移動し、且つ同時に下方へも移動する。このとき、後ユニット５は一部が天板４０の下部に挿入される。
【００３６】
前ユニット４をさらに押すと、図７に示したように後ユニット５の軸部５１が第２ガイド２の第３溝２３の上端に移動するが、この軸部５１は連結金具６のフック６１に係合し、前ユニット４の軸部４２が第２ガイド２の第２溝２２によって下から受けられているため、軸部５１は第３溝２３の上端をそのまま通過して第２溝２２の後端部に案内され、図８の状態になる。なお、このとき、後ユニット５の後端面５ｂはストッパ７に当接して後ユニット５が天板４０の下部に潜り込んだ状態で収納される。
【００３７】
一方、前ユニット４の軸部４２が第３溝２３の上端にさしかかるときは、連結金具６のフック６１は軸部５１から下方に外れる構造になっているので、前ユニット４と後ユニット５の連動が解除される。これにより、図９のように軸部４２が第３溝２３に沿って下方に案内される。この第２ガイド２は前方の前端部では１経路であり、後端部に達するまでの中間地点で第２溝２２と第３溝２３の複数にその経路が分岐している。この連動が解除された後は、図１０のように前ユニット４の軸部４１が第１ガイド１の第２溝１２に、軸部４２が第２ガイド２の第４溝２４にそれぞれ案内されて前ユニット４だけがスライドし、そのまま後ユニット５の下に潜り込んだ状態で収納され、図１１の閉状態となる。
【００３８】
また、開状態から閉状態への遷移は逆の行程となる。前ユニット４の前端上面には手当り部４ｂが取り付けられており、この手当り部４ｂに手を掛けて前ユニット４を天板４０の下から引き出すと、前ユニット４だけが移動して図１０及び図９のように遷移する。そして、図８の状態で連結金具６のフック６１が後ユニット５の軸部５１に係合するので、そのまま前ユニット４を引き出すことで、前ユニット４と後ユニット５が連動して図７〜図５のようにスライドし、図１のように閉状態に遷移する。
【００３９】
なお、図２の楕円の吹き出し部に図示したように、第１ガイド１の第１溝１１の先端に下に窪んだ凹部１１ａを設け、閉状態で前ユニット１の先端の軸部２１が凹部１１ａ内に嵌合するようにしてもよい。これにより、スライド蓋２０の閉状態がより安定する。
【００４０】
また、前ユニット４と後ユニット５の連結は、実施形態のような連結金具に限らず、本願の構成で連結及び連結解除が可能な形ならばよい。例えば後ユニット５の前端下部に凹部を設けるとともに、前ユニット４の後端下部から後部情報に突出する突部を設け、凹部に突部が嵌合するような形状でもよい。また、前ユニットに軸を設け、後ユニットに下方に向けて斜め後方に切り欠きを有する連結金具を設け、この切り欠きを軸に係合するようにしてもよい。
【００４１】
なお、音色選択スイッチや各種設定スイッチなどの操作子類は、パネル部５０に設けてもよいし、拍子木Ｅに設けるようにしてもよい。拍子木Ｅに操作子類を設ける場合は、パネル部５０を省略するような構成にしてもよい。
【００４２】
実施形態ではガイド部が左右の側板に直接形成するようにしているが、側板の内側に別途の部材によりガイド部を設けるようにしてもよい。また、軸部をコロ状の部材として軸部がガイド部の溝内を回転して移動するようにしてもよいし、溝と軸部の素材を適宜選定して溝と軸部間の摩擦力をスライド及び保持に適した特性に設定してもよい。また、ガイド部は溝で構成するものに限らず、軸が当接するような下面のみで構成してもよい。
【００４３】
実施形態ではスライド蓋を２つのユニットで構成した例について説明したが、２つ以上のユニットで構成してもよい。このユニットの数が多くなるほど天板下部の収納スペースの高さ方向が大きくなる。したがって、ユニットの数は多すぎないほうがよい。また、２つ以上のユニットの場合でも、実施形態と同様に、前側のユニットをその直後のユニットの下に収納するようにガイド部を構成すればよい。
【図面の簡単な説明】
【００４４】
【図１】本発明の実施形態の蓋装置を適用した電子鍵盤楽器の要部を示す開状態の側断面図である。
【図２】同鍵盤楽器におけるガイド部を示す図である。
【図３】同鍵盤楽器の一部破断斜視図である。
【図４】実施形態におけるスライド蓋及び天板の一部破断図である。
【図５】実施形態におけるスライド蓋の第１遷移過程を示す図である。
【図６】実施形態におけるスライド蓋の第２遷移過程を示す図である。
【図７】実施形態におけるスライド蓋の第３遷移過程を示す図である。
【図８】実施形態におけるスライド蓋の第４遷移過程を示す図である。
【図９】実施形態におけるスライド蓋の第５遷移過程を示す図である。
【図１０】実施形態におけるスライド蓋の第６遷移過程を示す図である。
【図１１】実施形態におけるスライド蓋の開状態を示す図である。
【符号の説明】
【００４５】
１…第１ガイド、２…第２ガイド、３…第３ガイド、４…前ユニット、５…後ユニット、６…連結金具、１０…ガイド部、２０…スライド蓋、３０…鍵盤装置（鍵盤部）、４０…天板、５０…パネル部、４１，４２，５１，５２…軸部、４Ａ…前ユニットの天面、５Ａ…後ユニットの天面、４０Ａ…天板の天面、Ａ…棚板、Ｂ…口棒、Ｃ…後板、Ｄ…側板、Ｅ…拍子木
【図１】
2008164845.tif 000003
【図２】
2008164845.tif 000004
【図３】
2008164845.tif 000005
【図４】
2008164845.tif 000006
【図５】
2008164845.tif 000007
【図６】
2008164845.tif 000008
【図７】
2008164845.tif 000009
【図８】
2008164845.tif 000010
【図９】
2008164845.tif 000011
【図１０】
2008164845.tif 000012
【図１１】
2008164845.tif 000013